【事件の表示】
　平成５年特許願第１４７７１１号「画像形成方法、画像形成装置及び装置ユニット」拒絶査定不服審判事件〔平成６年３月１１日出願公開、特開平６−６７４６０〕について、次のとおり審決する。
【結　論】
　本件審判の請求は、成り立たない。
【理　由】
１．手続の経緯・本願発明
　本願は、特許法第４１条に基づく優先権主張を伴う平成５年６月１８日（優先日、平成４年６月１９日）の出願であって、その請求項１ないし３に係る発明は、平成１１年１０月２６日付け、平成１３年８月１０日付け及び平成１５年５月１２日付の手続補正書によって補正された明細書の記載からみて、その特許請求の範囲の請求項１ないし３に記載されたとおりのものであり、請求項１に係る発明は次のとおりのものと認める。
「有機光導電層を有する静電潜像担持体の表面に接触帯電部材を圧接させてバイアス電圧を印加して該静電潜像担持体を帯電し、帯電されている該静電潜像担持体に潜像形成手段により静電潜像を形成し、該静電潜像担持体が担持している静電潜像を磁性トナーにより現像し、現像により形成されたトナー画像を転写材を介して静電潜像担持体に接触する接触転写部材により転写材に転写し、転写材のトナー画像を定着手段により定着する画像形成方法において、該静電潜像担持体は、表面に含フッ素樹脂微粒子を含有しており、かつ該磁性トナーは、少なくとも結着樹脂及び磁性体を含有している磁性トナー粒子を有しており、該結着樹脂は、ＧＰＣ測定におけるクロマトグラムにおいてピーク分子量（Ｍｐ）４０００乃至３万を有する低分子量成分及びピーク分子量（Ｍｐ）２０万乃至１００万を有する高分子量成分を含有しており、該結着樹脂は、芳香族系有機溶媒の存在下でビニル系モノマーを用いて合成した重合体を結着樹脂１００重量部に対して５０重量部以上有しており、該低分子量成分は溶液重合法で合成されており、該高分子量成分は懸濁重合法で合成されており、該磁性トナー粒子は、該芳香族系有機溶媒の含有量が磁性トナー粒子の重量基準で５００ｐｐｍ以下に調整されていることを特徴とする画像形成方法。」（以下、「本願発明１」という。）
　
２．引用刊行物記載の発明
　原査定の拒絶の理由に引用された、本願の優先日前に頒布されたことが明らかな下記刊行物１ないし６には、以下の事項が記載されている。
（刊行物１：特開平１−１９３８７０号公報の記載事項）
(1a)「残存単量体及び／又は残存溶剤の含有量が、樹脂の総量に対して０．１５重量％以下であるスチレン−アクリル樹脂を結着樹脂として含有してなる静電荷像現像用トナー。」（特許請求の範囲）
(1b)「懸濁重合法においては懸濁状態で生成したビーズ状のスチレン−アクリル樹脂中には微量の未反応単量体が残存しやすく、一方、溶液重合法においては、共重合完結後、脱溶剤を行うが、脱溶剤が完全には行われにくく、微量の溶剤が残存しやすい。本発明者らによれば、これらの残存単量体及び／又は残存溶剤の量が、有機光導電体を有する電子写真感光体を用いた際の印字障害の発生の有無に関係することが明らかになった。残存単量体及び／又は残存溶剤の量は、結着樹脂の総量に対して０．１５重量％以下、好ましくは０．１重量％以下、特に好ましくは０．０５重量％以下になるように管理する必要がある。残存単量体及び／又は残存溶剤の量が０．１５重量％を越えると、繰り返し使用において印字濃度の低下、印字濃度のむらといった印字障害が発生する。残存単量体及び／又は残存溶剤の量は・・・乾燥時間を長くする等の乾燥条件の選択によって結着樹脂の総量に対して０．１５重量％以下、好ましくは０．１重量％以下、特に好ましくは０．０５重量％以下にすることができるが、各条件は・・・適宜選択されるものである。」（第５頁左上欄第９行目〜右上欄第１６行目）
(1c)「本発明のトナーを一成分系のトナーとして使用する場合には、磁性粉を含有させる。」（第６頁右上欄第１２行目〜１３行目）
(1d)懸濁重合法により、Ｒ−１ないしＲ−５のスチレン−アクリル樹脂を製造したこと（第９頁右上欄第１２行〜左下欄第１行）
(1e)溶液重合法により、Ｒ−６及びＲ−７のスチレン−アクリル樹脂を製造したこと（第９頁左下欄第２行目〜９行目）
(1f)各樹脂中の残存単量体及び／又は残存溶媒の量は、Ｒ−２，Ｒ−３，Ｒ５で０．０２重量％、Ｒ−４で０．０３重量％、Ｒ−７で０．１３重量％であったこと（第９頁左下欄第１０行目〜右下欄第２行目、第１０頁第１表）
(1g)各樹脂を使用して、溶融、混練、粉砕、分級の工程を経て非磁性トナーとし、それを、フェライトキャリアと混合して二成分現像剤としたものを用いて画像形成して、初期画像と３０万枚印刷後の画像によりトナーの評価を行ったこと（第９頁右下欄第３行目〜第１０頁左上欄第８行目）
(1h)溶液重合法により得られた樹脂Ｒ−７を結着樹脂として１００％使用したトナーは、３０万枚の画像形成後にも印字濃度の低下やカブリの増加、全面印刷による印字濃度のむらがなく長寿命のトナーを実現したこと（第１１頁第２表）
　
（刊行物３：特開平２−２７５９６５号公報の記載事項）
(3a)特定構造を有するオキシカルボン酸の金属錯体及び特定構造を有するアゾ化合物を配合することを特徴とする乾式トナー（請求項１）において、結着樹脂として、残存モノマー及び／又は溶剤の含有量が０．１５重量％以下のスチレン−アクリル樹脂を含有する乾式トナー（請求項８）に関する発明
(3b)「本発明において，結着樹脂は，残存するモノマー及び／又は溶剤の含有量が０．１５重量％以下で有るものが好ましい。モノマー及び／又は溶剤の含有量が０．１５重量％を越えると実装中に印刷濃度の低下，印字濃度むらといった印字障害が発生する確率が高くなる。」（第９頁右下欄第１１行目〜１６行目）
(3c)「本発明のトナーを１成分トナー（磁性トナー）とする場合には磁性粉が加えられる。」（第１０頁右下欄第４行目〜５行目）
(3d)懸濁重合によるスチレン−メタクリル酸エステル共重合体樹脂Ｒ−１、または、溶液重合によりスチレン−メタクリル酸エステル共重合よりなる中間重合体を形成し、その存在下にさらにスチレン及びメタクリル酸エステルと共に懸濁重合させて得られた樹脂Ｒ−２〜Ｒ−４は、その残存モノマー量が０．０２重量％であったこと（第１３頁右下欄第２行目〜第１４頁左上欄）
(3e)樹脂Ｒ−１〜Ｒ−４を使用して作成したトナーは、３０万枚の画像形成後にも印字濃度の低下やカブリの増加、全面印刷による印字濃度のむらがなく長寿命のトナーを実現したこと（第１４頁左下欄〜第１５頁左下欄）
　
（刊行物４：特開平４−５０８６３号公報の記載事項）
(4a)「帯電部材を被帯電体に接触させて外部より電圧を印可して帯電を行う帯電工程と、上記被帯電体より現像剤を除去するクリーニング工程とを有する画像形成方法において、該現像剤として、体積平均粒径が１０〜１５μｍ、微粉量（６．３５μｍ以下）が３０％以下、粗粉量（２０．２μｍ以上）が４重量％以下であり且つＭＩ値（メルトインデックス）が２〜８である現像剤を用いることを特徴とする画像形成方法。」（特許請求の範囲第２項）
(4b)「本発明は、以上の点に鑑みなされたもので、帯電部材と被帯電体との接触を充分に保ち、その場合でもトナーの帯電部材表面への固着を防ぎトナーの被帯電体へのフィルミングによる帯電不良や帯電ムラを起こさない帯電工程と、クリーニング工程を経た後、被帯電体上に残留することが極めて少なく、また、もし少量の残留があった場合にも帯電部材表面にも被帯電体表面にも固着の起こらない現像剤を用いたクリーニング工程とを有する画像形成方法を提供することを目的とする。」（第２頁左下欄第１行目〜１０行目）
(4c)「第１図は・・・接触帯電装置の概略構成図である。３は・・・感光体ドラムであり・・・感光体層である有機光導電体（ＯＰＣ）３ｂを形成してなるもので・・・４は上記感光体ドラム３に所定圧力をもって接触させた帯電部材である帯電ローラーであり」（第２頁右下欄第１７行目〜第３頁左上欄第５行目）
(4d)「本発明におけるバインダー樹脂の合成方法は、基本的に２種以上の重合体を合成する方法が好ましい。すなわち、ＴＨＦに可溶で且つ重合モノマーに可溶な第１の重合体を重合モノマー中に溶解し、モノマーを重合して樹脂組成物を得る方法である。この場合、前者と後者の重合体が均一に混合している組成物が形成される。ＴＨＦに可溶な第１の重合体は、溶液重合もしくはイオン重合などが好ましく、ＴＨＦに不溶な成分を生成するために第２の重合体は、第１の重合体を溶解している条件下で架橋性モノマー存在下で懸濁重合もしくは塊状重合で合成することが好ましい。第１の重合体は第２の重合体を生成するための重合性単量体１００重量部に対して１０〜１２０（好ましくは２０〜１００重量部）重量部使用するのが好ましい。」（第５頁左下欄第１行目〜１７行目）
(4e)「本発明は硬度の大きい磁性体を含有するトナーにおいて、一層効果が明瞭であり、磁性トナーに含まれる磁性体としては、・・・・・」（第５頁左下欄第１８行目〜２０行目）
(4f)「合成例１
　反応器にクメン２００部を入れ、還流温度まで昇温した。これにスチレンモノマー１００部およびベンゾイルパーオキサイド７．８部の混合物をクメン還流下で４時間かけて滴下した。さらにクメン還流下（１４６℃〜１５６℃）で溶液重合を行い、クメンを除去した。得られたポリスチレンは
ＴＨＦに可溶であり、ＧＰＣのメインピークの位置する分子量３，９００、Ｔｇ＝５８℃であった。
　上記ポリスチレン３０部を下記単量体混合物に溶解し、混合溶液とした。
　　　　　単量体混合物　　　　　　　　　　　配合比
　　　　スチレンモノマー　　　　　　　　　　５０部
　　　　アクリル酸ｎ−ブチルモノマー　　　　２０部
　　　　ジビニルベンゼン　　　　　　　　０．２６部
　　　　ベンゾイルパーオキサイド　　　　　１．７部
　上記配合溶液にポリビニルアルコール部分ケン化物０．１部を溶解した水１７０部を加え懸濁分散液とした。水１５部を入れ窒素置換した反応器に上記懸濁分散液を添加し、反応温度７０〜９５℃で６時間懸濁重合反応させた。反応終了後に濾別し、脱水、乾燥し、ポリスチレンとスチレン−アクリル酸ｎ−ブチル共重合体の組成物を得た。該組成物はＴＨＦ不溶分と可溶分顔均一に混合しており、且つポリスチレンとスチレン−アクリル酸ｎ−ブチル共重合体が均一に混合していた。ＴＨＦ可溶分の分子量分布を測定したところＧＰＣのチャートにおいて、約０．４５万、約４．５万の位置にピークを有していた。」（第６頁右上欄第１３行目〜右下欄第２行目）
(4g)「実施例１
　　合成例１の樹脂組成物　　　　　　１００部
　　磁性体（平均粒径０．２μｍ）　　　６０部
　　モノアゾ染料　　　　　　　　　　　　２部
　　低分子量ポリプロピレン　　　　　　　３部
　上記材料を混合した後、１５０℃に熱した２本ロールミルで２０分間混練した。混練物を冷却後、粗粉砕し、ジェット気流を用いた微粉砕機を用いて粉砕し、さらに風力分級機を用いて分級し、体積平均粒径１１．７μｍで６．３５μｍ以下の微粉量１６．３％、２０．２μｍ以上の粗粉量０．８重量％の黒色微粉体を得た。さらにここで得られた黒色微粉体１００部に対してコロイダルシリカ微粉体０．５部を乾式混合し、トナー（現像剤）を得た。このトナーのＭＩ値は５．１であった。
　そしてこのトナーを、帯電装置として感光体への当接圧５０ｇ／ｃｍ、帯電部材への印可電圧を直流−６００Ｖ，交流２００Ｖｐｐ，周波数１５０Ｈｚとした第１図の如き装置を組み込み、さらに反転現像・転写できるように解像した市販の複写機ＦＣ−５（キャノン社製：ＯＰＣ積層型負帯電感光体、ドラム直径φ３０）に投入し、感光体への帯電を−６００Ｖとなるよう、直流及び交流（交流電流１７０μＡ）を印可しながら、画像出しを行ったところ、５，０００枚の画出しにおいても、帯電ローラー表面にも、ＯＰＣ感光体表面にもトナーの固着やキズは見られず、良好な画像が続いた。同様の実験を３２．５℃，８５％ＲＨという高温高湿下や１５℃，１０％ＲＨという低温低湿下で行ったが、結果は同様に良好だった。」（第７頁右上欄第１５行目〜右下欄第４行目）
　
（刊行物５：特開平１−１７２８４３号公報の記載事項）
(5a)「少なくともビニル系樹脂よりなる結着樹脂と磁性体を含有する磁性トナーにおいて、該結着樹脂のＧＰＣにより測定されるクロマトグラムが、分子量３０００〜５０００及び１５万〜２００万のそれぞれの領域に少なくとも１つの極大値を有し、かつ、結着樹脂のゲル含有量が１〜１０％であることを特徴とする磁性トナー。」（特許請求の範囲第１項）
(5b)「定着性を改善する目的で、結着樹脂として、低分子量と高分子量の領域に、それぞれ、極大値を有する樹脂を用いることが提案されている。（例えば特開昭５６−１６１４４号公報）」（第２頁左上欄第１２行目〜１５行目）
(5c)「本発明の目的は、接触加熱定着方式において極めて広い定着可能温度域を有し、しかも熱的凝集が生じる最低温度が高い静電荷像現像用の一成分現像方式に使用する磁性トナーを提供することにある。」（第４頁右上欄第１２行目〜１６行目）
(5d)「本発明において、これらの結着樹脂の特徴とするところは、ＧＰＣによって測定されたクロマトグラムが分子量３００〜５０００及び１５万〜２００万のそれぞれの領域に少なくとも１つの極大を持ち、更にゲル含有量が１〜１０％であることである。結着樹脂における低分子量成分により低温定着を可能ならしめ、高分子量成分により耐オフセット性を付与し、さらには結着樹脂のゲル含有量を１〜１０％の範囲に調整することにより、熱ロール定着方式の低ニップ圧条件下において広い定着可能温度域を可能にしている。」（第３頁左上欄第１２行目〜右上欄第２行目）
　
（刊行物６：特開平２−６４５５６号公報の記載事項）
(6a)「結着樹脂及び磁性分を少なくとも有する磁性トナーにおいて該結着樹脂の分子量分布が少なくとも２つ以上のピークをもち、ピーク分子量が５００〜１５，０００および１０万〜３５０万であるビニル系重合体であり、該磁性トナーの残留磁化と、・・・・ことを特徴とする磁性トナー。」（特許請求の範囲）
(6b)「本発明において、該結着樹脂の分子量分布が少なくとも２つ以上のピークをもち、ピーク分子量が５００〜１５，０００および１０万〜３５０万、好ましくは１，５００〜１２，０００および２０万〜２５０万、さらに好ましくは２，０００〜１０，０００および２０万〜１５０万が良い。
　また、ピーク分子量が５００〜１５，０００の構成成分（Ａ）と１０万〜３５０万の構成成分（Ｂ）の構成比が１０：９０から９０：１０が良い。好ましくは、２０：８０から８０：２０が良い。さらに好ましくは、３０：７０から７０：３０が良い。
　このような結着樹脂を用いると、磁性体は極めて均一に分散している。不適正なトナー粒子がわずかでも含まれればそれが元になってブロツチ・ムラなどが発生しやすくなることを考えると、これは各粒子の磁気的性質を均一に近ずけるという点で効果が大きい。」（第５頁左下欄第１８行目〜右下欄第１４行目）
(6c)　実施例１として、スチレン／アクリル酸ブチル共重合体Ａ（ピーク分子量６５００）と、スチレン／アクリル酸ブチル共重合体Ｂ（ピーク分子量７５万）の５０重量部ずつの混合物に、磁性粉、ニグロシン、低分子量プロピレン−エチレン共重合体を混合し、磁性トナーを得たこと、得られた磁性トナーに正荷電性疎水性シリカおよび乾式酸化アルミニウム微粒子を加えて、一成分磁性現像剤としたこと、この一成分磁性現像剤を定着機のオイル塗布装置のないオフセツトのしやすい条件で、画出し試験を特にブロツチ・ムラなどの発生しやすい低温低湿条件下（１５℃，１０％ＲＨ）で１０，０００回実施したところ、画像濃度は高く、細線再現性、解像性も優れており、１０，０００枚画出し後も初めの画質の良さを維持していた。また、画出し中に、ブロツチ・ムラの発生もなく、定着、オフセツトにまつわる問題も発生しなかったこと（第１４頁左上欄第１行目〜右下欄第９行目）
(6d)　実施例２として、スチレン／アクリル酸ブチル共重合体Ａ（ピーク分子量４５００）と、スチレン／アクリル酸ブチル共重合体Ｂ（ピーク分子量４４．５万）を５５：４５重量部の混合物を結着樹脂として磁性トナーを製造したこと（第１４頁右下欄第１０行目〜第１５頁左上欄第１９行目）
　
３．対比
　上記刊行物４の記載事項からみて、刊行物４には、「帯電部材を、被帯電体に接触させて外部より電圧を印可して帯電を行う帯電工程有する画像形成方法において、現像剤として、体積平均粒径が１０〜１５μｍ、微粉量（６．３５μｍ以下）が３０％以下、粗粉量（２０．２μｍ以上）が４重量％以下であり且つＭＩ値（メルトインデックス）が２〜８である現像剤を用いる画像形成方法。」の発明が記載されているところ、本願請求項１に係る発明（以下、「本願発明１」という。）と、刊行物４に記載された発明とを対比する。
（ア）刊行物４記載の発明の「帯電部材」及び「外部より電圧を印可して帯電を行う」は、それぞれ、本願発明１の「接触帯電部材」及び「バイアス電圧を印加して該静電潜像担持体を帯電し」に相当する。
（イ）刊行物４には、被帯電体が、感光体ドラムであり、ドラム基体の外表面に感光体層である有機光導電体(OPC)を形成したものであることが記載されているから（上記(4c)参照。）、刊行物４記載の発明の「被帯電体」は、本願発明１の「有機光導電層を有する静電潜像担持体」に相当する。
（ウ）刊行物４記載の画像形成方法の発明において、帯電されている静電潜像担持体に潜像形成手段により静電潜像を形成し、静電潜像担持体が担持している静電潜像をトナーにより現像し、転写材に転写し、定着手段により定着することは、技術常識から明らかである。
（エ）刊行物４には、トナーが磁性トナーであることが好ましいこと（上記(4e)参照。）が記載され、実施例をみると、少なくとも結着樹脂及び磁性体を含有した磁性トナーが記載されている。
（オ）刊行物４には、バインダー樹脂の合成方法として、基本的に２種以上の重合体を合成する方法が好ましいと記載され、合成例１〜５をみると、芳香族系有機溶媒であるクメンを溶媒とし、ビニル系モノマーであるスチレンモノマーを用いた溶液重合法によりＧＰＣのピーク分子量が３,９００のポリスチレンを合成し、このポリスチレン存在下に、懸濁重合法により、ＴＨＦ可溶分の分子量分布が、ＧＰＣチャートにおいて、０．２２万〜０．６３万の位置にピークを有する低分子量成分と、１．９万〜８万の位置にピークを有する高分子量成分が合成されることが記載されており、上記低分子量成分のピーク分子量は、本願発明１の低分子量成分のピーク分子量４０００乃至３万の範囲に含まれている。
　したがって、両者の間には、以下の一致点及び相違点がある。
　
（一致点）
　有機光導電層を有する静電潜像担持体の表面に接触帯電部材を圧接させてバイアス電圧を印加して該静電潜像担持体を帯電し、帯電されている静電潜像担持体に潜像形成手段により静電潜像を形成し、静電潜像担持体が担持している静電潜像を磁性トナーにより現像し、現像により形成されたトナー画像を転写材に転写し、転写材のトナー画像を定着手段により定着する画像形成方法において、磁性トナーは、少なくとも結着樹脂及び磁性体を含有している磁性トナー粒子を有しており、結着樹脂は、ＧＰＣ測定におけるクロマトグラムにおいてピーク分子量（Ｍｐ）４０００乃至３万を有する低分子量成分及び高分子量成分を含有しており、結着樹脂は、芳香族系有機溶媒の存在下でビニル系モノマーを用いて合成した重合体を有しており、低分子量成分は溶液重合法で合成されており、高分子量成分は懸濁重合法で合成されている画像形成方法である点。
（相違点１）
　本願発明１が、転写材を介して静電潜像担持体に接触する接触転写部材により転写材に転写することを規定するのに対して、刊行物４には、接触転写であることが明記されていない点。
（相違点２）
　本願発明１が、静電潜像担持体の表面に含フッ素樹脂微粒子を含有していることを規定するのに対して、刊行物４には、静電潜像担持体の表面に含フッ素樹脂微粒子を含有させることついて記載されていない点。
（相違点３）
　本願発明１が、結着樹脂の高分子量成分について、ピーク分子量（Ｍｐ）２０万乃至１００万を有することを規定するのに対して、刊行物４には、高分子量成分のピーク分子量が２０万未満のものしか記載されていない点。
（相違点４）
　本願発明１では、結着樹脂が、芳香族系有機溶媒の存在下でビニル系モノマーを用いて合成した重合体、つまり、溶液重合により合成された重合体を結着樹脂１００重量部に対して５０重量部以上有しているのに対して、刊行物４には、溶液重合で合成される第１の重合体は、懸濁重合で合成される第２の重合体を生成するための重合性単量体１００重量部に対して１０〜１２０重量部使用するのが好ましいことが記載されているが、これは、結着樹脂１００重量部に対して、上記溶液重合による第１重合体が９〜５４重量部である点。
（相違点５）
　本願発明１が、磁性トナー粒子中の芳香族系有機溶媒の含有量が磁性トナー粒子の重量基準で５００ｐｐｍ以下に調整されていることを規定するのに対して、刊行物４には、磁性トナー中の残留溶媒量について記載されていない点。
　
４．判断
　以下、各相違点について検討する
（１）相違点１について
　静電荷像をトナーを用いて可視化するための転写方法として、接触転写は、拒絶理由通知でも例示した、特開平３−５０５６２号公報及び特開昭６３−２６９１６３号公報、さらに、特開平３−１２１４６２号公報にも記載されるように、本願出願前より周知の技術である。
　したがって、刊行物４記載の発明において、転写方法として、接触転写部材により転写材に転写する方法を採用することは、当業者であれば適宜になしうることである。
（２）相違点２について
　静電潜像担持体の表面に含フッ素樹脂粒子を含有させた層を形成することは、拒絶理由通知でも例示した、特開平２−１８９５５０号公報、特開昭５８−２３０３１号公報、特開昭６４−３５４４８号公報、特開平２−１４４５５１号公報にも記載されるように本願出願前より周知の技術である。
　したがって、刊行物４記載の発明において、静電潜像担持体の表面に、含フッ素樹脂粒子を含有させることは、当業者であれば適宜なしうることである。
（３）相違点３及び４について
　トナーの結着樹脂として、ビニル系モノマーを用いて合成した重合体であり、低分子量域と、高分子量域の２つの領域で極大が観察される、いわゆる２ピーク樹脂を使用することは、刊行物４に記載されている（上記(1f)参照。）。そして、その低分子量域及び高分子量域の範囲をＧＰＣ測定におけるピーク分子量４０００〜３万及び２０万〜１００万の程度とすることは、刊行物５、６（上記(5a）,(6a)参照。）、さらに、特開平３−６４７６５号公報、特開平１−１７２８４４号公報にも記載されるように、本願出願前の周知技術であったといえる。そして、それによって、定着温度幅が広く、耐オフセット性であり、凝集を生じにくいトナーを得ること(上記(5b),(5c）参照。)、同じく、磁性トナーにおいて、トナー中における磁性粉粒子の分散性を良くし、ブロッチ、ムラなどの画像不良を起こしにくいトナーとすること（上記(6b)(6c)参照。）も、刊行物５、６に記載されるとおり、本願出願前周知である。
　さらに、刊行物６の実施例１には、結着樹脂１００重量部に対して、低分子量成分を５０重量部、実施例２には、同じく５５重量部含有させたもの（上記(6b)(6c)参照）も記載されている。
　したがって、上記のような改良目的に応じて、２つのピークが存在する分子量の範囲や、２つのピークを与えるための低分子量成分と高分子量成分の配合比を望ましい範囲に選択し、本願発明１の範囲とすることは、当業者であれば容易になし得ることである。
（４）相違点５について
　刊行物１及び３には、トナーを構成するための結着樹脂中の、残存単量体及び／又は残存溶剤の量を結着樹脂総量に対し０．１５重量％以下に減少させることにより、印字濃度の低下、印字濃度のむらといった印字障害を防止できること(上記（1a),(1b),(3a),(3b)参照)が記載されており、さらに刊行物１には、特に好ましくは０．０５重量％以下になるように管理する必要があることが記載されているように、結着樹脂中の残存溶剤量を減少させることで、トナーの印字適性の向上を図る思想は、本願出願前より公知である。
　そして、刊行物１には、懸濁重合法においては、生成したスチレン−アクリル樹脂中に未反応単量体が残存しやすく、溶液重合法においては、溶剤が残存しやすいこと(上記(1b)参照)、が記載されており、溶液重合法では、溶剤の残存が問題となることも公知である。
　したがって、低分子量成分の合成に、芳香族系有機溶剤を溶剤とした溶液重合法を用いる刊行物４記載の発明において、芳香族系有機溶剤の含有量を減少させ、印字適性等を考慮して、磁性トナー粒子の重量基準で５００ｐｐｍ以下とすることは当業者が容易になし得たことといえる。
　
（５）本願明細書記載の効果について
　（ア）低温定着性及び耐オフセット性については、刊行物５及び６にも記載されるように、高分子量と低分子量にピークを有する結着樹脂を用いることにより、低温定着性及び耐オフセット性に優れたものが得られることは周知であり、これを適用したことにより、これらの効果が奏されることは予測し得たものである。
　（イ）感光体表面のフィルミングについては、本願明細書中には、芳香族系有機溶媒が多く残存することにより、感光体表面の樹脂を汚染しフィルミングが生じやすいことが記載されており、残存する芳香族系有機溶媒を少なくすることで、奏されている効果といえる。そこで、残存溶媒を少なくすることを記載した、刊行物１及び３をみてみると、刊行物１には、有機光導電層を有する感光体では、繰り返し使用により、印字濃度の低下、印字濃度むら等の印字障害が発生しやすいところ、残存溶剤を減少させることで、これらの障害を防止できることが記載されており、印字濃度の低下、印字濃度むら等の印字障害は、有機感光体表面のフィルミングに起因しているといえるから、溶剤濃度を減少させることで、感光体表面のフィルミングが防止されることは、予測し得たものといえる。
　（ウ）転写中抜けについては、本願明細書中に転写工程の押圧によりトナーが凝集し中抜けを起こしやすいことが記載されてる。一方、上記「（１）相違点１について」で、接触転写の周知技術として引用した、特開平３−５０５６２号公報、特開平３−１２１４６２号公報には、転写工程の押圧によりトナーが凝集し中抜けを起こしやすいことが記載されているように、転写中抜けは、接触転写を採用した場合の技術課題として、周知のものであったといえる。
　したがって、接触転写を採用した場合、転写中抜けについて、確認することが困難であったとすることはできず、その効果が予測し得ない程の格別なものであるとすることもできない。
　（エ）さらに、相違点１ないし５に係る構成を組み合わせたことにより、相乗的な効果が奏されているとすることもできない。
　
５．むすび
　以上のとおり、本願請求項１に係る発明は、刊行物４、１及び３、５及び６に記載された発明及び周知技術に基づいて当業者が容易に発明をすることができたものであるから、特許法第２９条第２項の規定により特許を受けることができない。
　したがって、請求項２ないし３についての判断を示すまでもなく、本願は拒絶すべきものである。
　よって、結論のとおり審決する。